(57)【要約】      （修正有）【課題】オークションの利用者間の交流につなげる。【解決手段】オークションの参加者の端末１４，２０からネットワーク１６を介して物品の出品および入札を受け付け、落札者を決定するオークションシステム１０は、アルバムシステム２の画像保存領域を示す情報であって、参加者が利用する画像保存領域を示す領域情報を参加者ごとに記憶するサーバ１２の記憶部と、記憶部１２に記憶されている記憶情報に基づいて、落札者による画像保存領域を示す領域情報を、落札された物品の出品者の端末１４、２０へ送信するサーバ１２の送信部と、を備える。【選択図】図１
2015082132.tif 000002
【特許請求の範囲】
【請求項１】
オークションの参加者の端末からネットワークを介して物品の出品および入札を受け付け、落札者を決定するオークションシステムにおいて、
画像保存システムの画像保存領域を示す情報であって、前記参加者が利用する画像保存領域を示す領域情報を前記参加者ごとに記憶する記憶部と、
前記記憶部に記憶されている記憶情報に基づいて、前記落札者による画像保存領域を示す領域情報を、落札された物品の出品者の端末へ送信する送信部と、
を備えることを特徴とするオークションシステム。
【請求項２】
オークションの参加者の端末からネットワークを介して物品の出品および入札を受け付け、落札者を決定するオークションシステムにおいて、
画像保存システムの画像保存領域を示す情報であって、前記参加者が利用する画像保存領域を示す領域情報を前記参加者ごとに記憶する記憶部と、
前記記憶部に記憶されている記憶情報に基づいて、前記出品した出品者による画像保存領域を示す領域情報を、前記落札者の端末へ送信する送信部と、
を備えることを特徴とするオークションシステム。
【請求項３】
請求項１に記載のオークションシステムにおいて、
前記落札の後の経過時間を計時する計時部をさらに備え、
前記送信部は、前記計時部によって所定時間が計時されると前記領域情報を前記出品者の端末へ送信することを特徴とするオークションシステム。
【請求項４】
オークションの参加者の端末からネットワークを介して物品の出品および入札を受け付け、落札者を決定するオークションシステムにおいて、
画像保存システムの画像保存領域を示す情報であって、前記参加者が利用する画像保存領域を示す領域情報を前記参加者ごとに記憶する第１記憶部と、
落札された物品と落札者とを対応付けて記憶する第２記憶部と、
前記第１記憶部および前記第２記憶部に記憶されている記憶情報に基づいて、新たに落札した落札者の端末へ、前記新たな落札者が落札した物品と同カテゴリの物品を過去に落札した者が利用する画像保存領域を示す領域情報を送信する送信部と、
を備えることを特徴とするオークションシステム。
【請求項５】
請求項４に記載のオークションシステムにおいて、
前記送信部はさらに、前記第１記憶部および前記第２記憶部に記憶されている記憶情報に基づいて、前記過去に落札した者の端末へ、前記新たな落札者が利用する画像保存領域を示す領域情報を送信することを特徴とするオークションシステム。
【請求項６】
請求項１〜５のいずれか一項に記載のオークションシステムにおいて、
前記送信部はさらに、落札された価格と略等しい価格の物品であって、前記落札された物品と同カテゴリの物品を扱う販売情報またはオークション情報を前記落札された物品の出品者の端末へ送信することを特徴とするオークションシステム。
【請求項７】
請求項１〜６のいずれか一項に記載のオークションシステムにおいて、
前記送信部はさらに、落札された価格と略等しい価格の物品であって、前記落札された物品と同カテゴリの物品を扱う販売情報またはオークション情報を、前記入札したものの前記落札できなかった者の端末へ送信することを特徴とするオークションシステム。
【発明の詳細な説明】
【技術分野】
【０００１】
本発明は、オークションシステムに関する。
【背景技術】
【０００２】
自動車などの中古物品を対象とするオークションシステムが知られている（特許文献１参照）。
【先行技術文献】
【特許文献】
【０００３】
【特許文献１】特開２００７−２１９９１０号公報
【発明の概要】
【発明が解決しようとする課題】
【０００４】
従来の技術では、中古物品の出品者やその落札者などのオークション利用者間の交流が考慮されていなかった。
【課題を解決するための手段】
【０００５】
請求項１に記載の発明は、オークションの参加者の端末からネットワークを介して物品の出品および入札を受け付け、落札者を決定するオークションシステムに適用される。そして、画像保存システムの画像保存領域を示す情報であって、参加者が利用する画像保存領域を示す領域情報を参加者ごとに記憶する記憶部と、記憶部に記憶されている記憶情報に基づいて、落札者による画像保存領域を示す領域情報を、落札された物品の出品者の端末へ送信する送信部と、を備えることを特徴とする。
請求項２に記載の発明は、オークションの参加者の端末からネットワークを介して物品の出品および入札を受け付け、落札者を決定するオークションシステムに適用される。そして、画像保存システムの画像保存領域を示す情報であって、参加者が利用する画像保存領域を示す領域情報を参加者ごとに記憶する記憶部と、記憶部に記憶されている記憶情報に基づいて、出品した出品者による画像保存領域を示す領域情報を、落札者の端末へ送信する送信部と、を備えることを特徴とする。
請求項４に記載の発明は、オークションの参加者の端末からネットワークを介して物品の出品および入札を受け付け、落札者を決定するオークションシステムに適用される。そして、画像保存システムの画像保存領域を示す情報であって、参加者が利用する画像保存領域を示す領域情報を参加者ごとに記憶する第１記憶部と、落札された物品と落札者とを対応付けて記憶する第２記憶部と、第１記憶部および第２記憶部に記憶されている記憶情報に基づいて、新たに落札した落札者の端末へ、新たな落札者が落札した物品と同カテゴリの物品を過去に落札した者が利用する画像保存領域を示す領域情報を送信する送信部と、を備えることを特徴とする。
【発明の効果】
【０００６】
本発明によれば、オークションの利用者間の交流につなげることができる。
【図面の簡単な説明】
【０００７】
【図１】オークションシステムを含む全体構成を例示する図である。
【図２】出品処理に係るサーバの詳細な構成を例示する図である。
【図３】出品情報テーブルを例示する図である。
【図４】出品画面に関連するサーバの詳細な構成を例示する図である。
【図５】サーバから入札ユーザの端末へ送信された出品画面を例示する図である。
【図６】入札処理に係るサーバの詳細な構成を例示する図である。
【図７】サーバがオークション終了後に実行する処理の流れを説明するフローチャートである。
【発明を実施するための形態】
【０００８】
以下、図面を参照して本発明を実施するための形態について説明する。図１は、オークションシステム１０を含む全体構成を例示する図である。本発明の一実施の形態によるオークションシステム１０は、例えば、カメラ関連機器（カメラ、レンズ交換式カメラボディ、交換レンズなど）の中古物品を対象にするオークションの場を提供する。
【０００９】
オークションシステム１０は、カメラ関連の商品（新品）を販売する公知のネット販売システム１、およびカメラユーザによって撮影された画像をネット上で保存、公開する場を提供する公知のアルバムシステム２とともに運営される。ユーザは、スマートフォン等の多機能携帯電話機２０またはＰＣ（パーソナルコンピュータ）１４を介して、オークションシステム１０を構成するサーバ１２にアクセスする。
【００１０】
図１において、オークションシステム１０と、ネット販売システム１と、アルバムシステム２と、ＰＣ１４と、無線ＬＡＮ(Local Area Network)のアクセスポイント１８とがネットワーク１６に接続されている。オークションシステム１０は、当システムを運営する事業者（以下、運営者と呼ぶ）により、データセンタ等に設置される。
【００１１】
アクセスポイント１８は、公共施設やユーザ宅などに設置される。ユーザは、自宅やオフィスなどからＰＣ１４を介してオークションシステム１０を構成するサーバ１２へアクセスしたり、スマートフォン２０やタブレットコンピュータ等の無線ＬＡＮ機能を用いてアクセスポイント１８経由でサーバ１２へアクセスしたりする。なお、スマートフォン２０から図示しない携帯電話回線網を経由してネットワーク１６上のサーバ１２へアクセスしても構わない。ＰＣ１４およびスマートフォン２０は、ＨＴＭＬ文書による画面等を表示するブラウザを有している。
【００１２】
オークションシステム１０のサーバ１２は、記憶装置、データ処理装置、およびネットワーク１６との間の通信制御装置等によって構成され、オークションの運営に必要なデータ等を管理する。本実施形態では、あらかじめ登録されたユーザをサービス対象にすべく、出品ユーザ（出品者）および入札ユーザ（入札者）のデータ等によってサーバ１２の基本データが構成される。
【００１３】
＜出品＞
図２は、出品処理に係るサーバ１２の詳細な構成を例示する図である。図２において、サーバ１２は、ログイン部３０１、ユーザテーブル３０２、出品申込受付部３０３、出品情報登録部３０４、出品情報テーブル３０５、およびログアウト部３０６を含む。各テーブルは、サーバ１２の記憶装置内に設けられる。ログイン部３０１は、出品ユーザの端末（ＰＣ１４またはスマートフォン２０）からユーザＩＤとパスワードを受信し、一致するユーザＩＤとパスワードの組合せがユーザテーブル３０２に存在する場合に、認証成功と判断してユーザの端末とサーバ１２との間のコネクションを確立させるログイン処理を行う。ログイン部３０１によるログイン処理の後、以降の処理が継続可能となる。ユーザテーブル３０２は、ユーザごとにユーザＩＤとパスワードの組合せを記憶する。
【００１４】
出品申込受付部３０３は、出品申込受付処理を行う。具体的には、出品ユーザの端末（ＰＣ１４またはスマートフォン２０）からの出品申込を受信する。出品申込は、物品名、出品数、開始価格および即決価格等の情報を含む。即決価格は、この金額以上で入札された場合において、オークション期間内であっても落札を決める価格をいう。出品情報登録部３０４は、出品情報登録処理を行う。具体的には、出品申込受付部３０３により受け付けられた出品申込に含まれる情報に、出品ＩＤおよび出品ユーザのＩＤ（出品者のユーザＩＤ）を対応付けて出品情報登録部３０４に記憶させる。
【００１５】
出品情報テーブル３０５は、出品情報を記憶する。図３は、出品情報テーブル３０５を例示する図である。出品情報テーブル３０５は、出品案件ごとにレコードを設け、出品ＩＤ、出品者のユーザＩＤ、物品名、出品数、開始価格、即決価格、オークション期間（開始日時、終了日時）、および現在の価格（最高額の入札価格）を対応付けて記憶するように構成されている。ログアウト部３０６は、出品ユーザの端末からログアウト要求を受信し、コネクションを解消するログアウト処理を行う。
【００１６】
オークション期間（オークション開催期間）は、開始日時から終了日時までであり、システム側で自動的に設定されても、出品者の希望により設定されてもよい。図３の例では、オークション期間は５日間である。即決価格以上の入札がない場合、オークション期間終了時点で最高額の入札者がその入札価格で落札する。ただし、入札がない場合や、入札価格が開始価格に満たない場合には、落札者なし（オークション不成立）となる。
【００１７】
＜入札準備（商品情報を要求）＞
続いて、入札ユーザの端末（ＰＣ１４またはスマートフォン２０）から落札するまでの動作について説明する。図４は、出品画面に関連するサーバ１２の詳細な構成を例示する図である。図４において、サーバ１２は、出品情報テーブル３０５の他に出品画面アクセス受付部６０１、アクセス履歴記憶部６０２、出品画面記憶部６０３、および出品画面配信部６０４を含む。
【００１８】
出品画面アクセス受付部６０１は、入札ユーザの端末からの出品画面へのアクセスを受け付ける。アクセス履歴記憶部６０２は、出品画面へのアクセス履歴を記憶する。出品画面記憶部６０３は、ブラウザで表示されるＨＴＭＬ文書による出品画面を記憶する。出品画面配信部６０４は、アクセス元の入札ユーザの端末へ出品画面を返信するように構成される。
【００１９】
出品画面記憶部６０３は、出品ごとに、出品ＩＤに対応付けて出品画面を記憶する。出品画面は、物品名、出品数、開始価格、現在の価格、およびオークション期間（開始日時、終了日時）を含む。
【００２０】
＜商品情報の送出＞
続いて、サーバ１２が上記出品画面を入札ユーザの端末（ＰＣ１４またはスマートフォン２０）へ送信する処理について説明する。上記出品画面アクセス受付部６０１は、入札ユーザの端末からの出品画面ＵＲＬへのアクセスを受信し、当該出品画面の出品ＩＤを特定し、出品ＩＤとアクセス日時をアクセス履歴記憶部６０２に記憶させる。そして、出品画面配信部６０４は、出品ＩＤに対応する出品画面のＨＴＭＬ文書を出品画面記憶部６０３から読み出して、アクセス元の入札ユーザの端末に送信する出品画面配信処理を行う。
【００２１】
ここで、出品情報テーブル３０５における現在の価格は、現時点における入札価格の最高額である。すなわち、新たに入札価格の最高額が更新されると、サーバ１２は、その出品ごとに出品情報テーブル３０５の現在の価格を更新する。サーバ１２はさらに、出品画面記憶部６０３が記憶するＨＴＭＬ文書における現在の価格の表示も変更する。
【００２２】
＜入札＞
続いて、入札動作について説明する。上述したように、出品画面記憶部６０３は出品ごとに、出品ＩＤに対応付けて出品画面を記憶している。図５は、サーバ１２から入札ユーザの端末（ＰＣ１４またはスマートフォン２０）へ送信された出品画面を例示する図である。図５において、出品画面は、物品名、出品数、開始価格、現在の価格、オークション期間（開始日時、終了日時）、および入札価格を表示している。入札ユーザの端末に表示される出品画面において、入札ユーザが入札価格を入力して「入札」アイコン５１をクリックすることにより、入札申込（出品ＩＤが付加されている）がサーバ１２に送信されるように構成されている。
【００２３】
図６は、入札処理に係るサーバ１２の詳細な構成を例示する図である。図６において、サーバ１２は、ログイン部３０１、ユーザテーブル３０２、出品情報テーブル３０５の他に、入札申込受付部９０１、入札情報登録部９０２、入札情報テーブル９０３、残出品数判定部９０４、落札確定部９０５、および落札情報テーブル９０６を含む。各テーブルは、サーバ１２の記憶装置内に設けられている。
【００２４】
ログイン部３０１とユーザテーブル３０２は、図２を参照して説明したログイン部３０１とユーザテーブル３０２と同様である。入札申込受付部９０１は、入札ユーザの端末（ＰＣ１４またはスマートフォン２０）から、出品ＩＤが付加された入札申込を受信する入札申込受付処理を行う。入札情報登録部９０２は、入札情報テーブル９０３に入札情報を追加する入札情報登録処理を行う。
【００２５】
入札情報テーブル９０３は、入札された情報を管理するテーブルである。入札情報テーブル９０３は、入札ごとにレコードを設け、入札者のユーザＩＤ、入札価格、および入札日時を対応付けて記憶するように構成されている。入札情報テーブル９０３のヘッダには、出品ＩＤと入札数とが記憶される。
【００２６】
入札情報登録部９０２は、入札申込があると、以下の入札情報登録処理を行う。先ず、入札情報テーブル９０３の対応する出品ＩＤの入札数に新規入札数を加算して記憶し直す。そして、入札情報登録部９０２は、ログイン中の入札者のユーザＩＤをログイン部３０１から取得し、新たな入札レコードに書き込む。さらに、入札情報登録部９０２は、入札申込に付加されている出品ＩＤに対応する入札価格を、新たな入札レコードの入札価格として記憶する。さらにまた、入札情報登録部９０２は、サーバ１２内部のカレンダー時計部（不図示）より日時情報を取得し、新たな入札レコードの入札日時として記憶する。なお、新たに入札価格の最高額が更新された場合、サーバ１２は、その出品ＩＤに対応する現在の価格（出品情報テーブル３０５）を更新する。
【００２７】
残出品数判定部９０４は、残出品数判定処理を行う。具体的には、出品情報テーブル３０５から出品ＩＤに対応する出品数を読み取り、落札確定部９０５から出品ＩＤに対応する落札数を取得し、出品数から落札数を差し引いて残出品数を求める。残出品数判定部９０４は、残出品数を落札確定部９０５へ送る。
【００２８】
落札確定部９０５は、入札価格が即決価格以上の場合に落札を決めて落札数をカウントする。落札数は、出品ＩＤに対応付けて残出品数判定部９０４へ送られる。また、落札確定部９０５は、オークション期間終了時点で最高額の入札者に落札を決めて落札数をカウントする。落札確定部９０５はさらに、残出品数判定部９０４による残出品数が０の場合に、出品ＩＤに対応付けて落札情報を落札情報テーブル９０６に記憶させる落札確定処理を行う。
【００２９】
落札情報テーブル９０６は、落札情報を記録するためのテーブルである。落札情報テーブル９０６は、落札ごとにレコードを設け、落札者のユーザＩＤと落札価格を対応付けて記憶するように構成されている。落札情報テーブル９０６のヘッダには、出品ＩＤと落札数とが記憶される。
【００３０】
オークションを終了すると、出品画面記憶部６０３は、落札情報テーブル９０６に記憶されている内容に基づいて、当該出品ＩＤに対応付けられているＨＴＭＬ文書の内容を変更する。すなわち、出品数を落札数に変更し、現在の価格を落札者のユーザＩＤおよび落札価格に変更し、オークションが終了している旨の表示を加える。
【００３１】
サーバ１２が管理するデータは、物品名（例えば売買対象のカメラ名（機種名称））ごとに分類され、検索可能に記憶装置内に記憶される。一例をあげると「Ｄｙｙｙ」、「Ｄ△△△」、「Ｄｍｙｍ」、あるいは「Ｐ＊＊＊」等のように物品名ごとにまとめられる。検索可能なデータの内容には、出品者（被落札者）の居住地情報、ニックネーム、年齢や性別、プロフィール情報、当ユーザによるネット販売システム１の利用履歴情報（購入物品名、購入金額、購入日等）、当ユーザによるアルバムシステム２の利用情報（画像を保管する領域を示すＵＲＬ等）、当オークションシステム１０の利用情報（出品情報、入札情報、落札情報等）などが含まれる。さらに、検索可能なデータの内容には、落札者の居住地情報、ニックネーム、年齢や性別、プロフィール情報、当ユーザによるネット販売システム１の利用履歴情報（購入物品名、購入金額、購入日等）、当ユーザによるアルバムシステム２の利用情報（画像を保管する領域を示すＵＲＬ等）、当オークションシステム１０の利用情報（出品情報、入札情報、落札情報等）なども含まれる。
【００３２】
本実施の形態によるオークションシステム１０のサーバ１２は、落札決定によってオークションが終了すると、以下の処理を行う。図７は、サーバ１２がオークション終了後に実行する処理の流れを説明するフローチャートである。サーバ１２は、ある出品ＩＤに対応するオークションを終了すると、当出品ＩＤに対応して図７による処理を起動させる。
【００３３】
図７のステップＳ１０において、サーバ１２は、落札者に対し、過去のオークションで同機種の物品を落札した落札者が利用しているアルバムサイトを紹介してステップＳ２０へ進む。サーバ１２は、例えば、「○○さんが、過去のオークションでＤｙｙｙを落札しています。○○さんのアルバムはこちら（http://ZYX・・・・）」というメッセージを落札者へ送信する。http://ZYX・・・・は、○○さんが利用しているアルバムシステム２におけるＵＲＬ（Uniform Resource Locator）を表す。
【００３４】
ステップＳ２０において、サーバ１２は、落札者に対し、落札物品の出品者が利用しているアルバムサイトを紹介してステップＳ３０へ進む。サーバ１２は、例えば、「出品者さんのアルバムはこちら（http://QRP・・・・）」というメッセージを落札者へ送信する。http://QRP・・・・は、出品者が利用しているアルバムシステム２におけるＵＲＬを表す。
【００３５】
ステップＳ３０において、サーバ１２は、落札者に対し、落札物品に関連する商品を扱うサイトを紹介してステップＳ４０へ進む。サーバ１２は、例えば、「落札物品に関連する商品はこちら（http://SHOP・・・・）」というメッセージを落札者へ送信する。http://SHOP・・・・は、例えばネット販売システム１におけるＵＲＬを表す。新品商品を薦めるネット販売システム１のＵＲＬの代わりに、またはネット販売システム１のＵＲＬに加えて、中古商品等を薦める当オークションシステム１０のＵＲＬを紹介してもよい。
【００３６】
ステップＳ４０において、サーバ１２は、出品者に対し、落札された物品と同カテゴリで、落札価格に近い価格（例えば±３０％以内）の商品を扱うサイトを紹介してステップＳ５０へ進む。サーバ１２は、例えば、「新たな購入はこちら（http://SHOP・・・・）」というメッセージを落札者へ送信する。http://SHOP・・・・は、例えばネット販売システム１におけるＵＲＬを表す。ネット販売システム１のＵＲＬの代わりに、またはネット販売システム１のＵＲＬに加えて、当オークションシステム１０のＵＲＬを紹介してもよい。
【００３７】
ステップＳ５０において、サーバ１２は、入札したものの落札できなかった入札者に対し、落札された物品と同カテゴリで、落札価格に近い価格（例えば±３０％以内）の商品を扱うサイトを紹介してステップＳ６０へ進む。サーバ１２は、例えば、「新たな購入はこちら（http://SHOP・・・・）」というメッセージを落札者へ送信する。http://SHOP・・・・は、例えばネット販売システム１におけるＵＲＬを表す。ネット販売システム１のＵＲＬの代わりに、またはネット販売システム１のＵＲＬに加えて、当オークションシステム１０のＵＲＬを紹介してもよい。
【００３８】
ステップＳ６０において、サーバ１２は、落札から所定期間（例えば１ヶ月）が経過したか否かを判定する。サーバ１２は、所定期間が経過した場合にステップＳ６０を肯定判定してステップＳ７０へ進む。サーバ１２は、所定期間が経過していない場合にはステップＳ６０を否定判定してステップＳ８０へ進む。
【００３９】
ステップＳ６０において、サーバ１２は、タイマ割り込みをセットして一旦図７による処理を終了する。これによってサーバ１２は、所定期間をタイムアップすると割り込み処理によって再びステップＳ６０へ進む。
【００４０】
ステップＳ７０において、サーバ１２は、出品者に対し、落札者が利用しているアルバムサイトを紹介して図７による処理を終了する。サーバ１２は、例えば、「落札者さんのアルバムはこちら（http://QRP・・・・）」というメッセージを出品者へ送信する。http://QRP・・・・は、落札者が利用しているアルバムシステム２におけるＵＲＬを表す。
【００４１】
以上説明した実施形態によれば、次の作用効果が得られる。
（１）オークションの参加者の端末１４、２０からネットワーク１６を介してカメラ関連機器の出品および入札を受け付け、落札者を決定するオークションシステム１０において、アルバムシステム２の画像保存領域を示すＵＲＬであって、参加者が利用する画像保存領域を示すＵＲＬを参加者ごとに記憶するサーバ１２と、サーバ１２に記憶されているＵＲＬに基づいて、落札者による画像保存領域を示すＵＲＬを、落札された物品の出品者の端末１４、２０へ送信するサーバ１２と、を備えるようにした。例えば、落札者が撮影した画像を出品者が閲覧可能になるので、これを契機にオークションの利用者間の交流につながることが期待できる。
【００４２】
（２）落札の後の経過時間を計時するサーバ１２をさらに備え、サーバ１２は、所定時間が計時されると上記ＵＲＬを出品者の端末１４、２０へ送信するようにしたので、落札物品であるカメラを用いて撮影されるであろう適切なタイミングで、上記ＵＲＬを出品者の端末１４、２０へ送信できる。
【００４３】
（３）オークションの参加者の端末１４、２０からネットワーク１６を介してカメラ関連機器の出品および入札を受け付け、落札者を決定するオークションシステム１０において、アルバムシステム２の画像保存領域を示すＵＲＬであって、参加者が利用する画像保存領域を示すＵＲＬを参加者ごとに記憶するサーバ１２と、サーバ１２に記憶されているＵＲＬに基づいて、出品者による画像保存領域を示すＵＬＲを、落札者の端末１４、２０へ送信するサーバ１２と、を備えるようにした。例えば、出品者が撮影した画像を落札者が閲覧可能になるので、これを契機にオークションの利用者間の交流につながることが期待できる。
【００４４】
（４）オークションの参加者の端末１４、２０からネットワーク１６を介してカメラ関連機器の出品および入札を受け付け、落札者を決定するオークションシステム１０において、アルバムシステム２の画像保存領域を示すＵＲＬであって、参加者が利用する画像保存領域を示すＵＲＬを参加者ごとに記憶するサーバ１２と、落札された物品と落札者とを対応付けて記憶するサーバ１２と、上記サーバ１２に記憶されている情報に基づいて、新たに落札した落札者の端末１４、２０へ、新たな落札者が落札した物品と同カテゴリの物品を過去に落札した者が利用する画像保存領域を示すＵＲＬを送信するサーバ１２と、を備えるようにした。例えば、過去の落札者が撮影した画像を、同じ機種のカメラを新たに落札した者が閲覧可能になるので、これを契機にオークションの利用者間の交流につながることが期待できる。
【００４５】
（５）サーバ１２はさらに、落札された価格と略等しい価格のカメラ関連機器であって、落札された機器と同カテゴリの機器を扱うネット販売システム１またはオークションシステム１０の情報を落札された物品の出品者の端末１４、２０へ送信するようにした。これにより、オークションで得たお金で他の機器を購入することへ出品者を導くことができる。
【００４６】
（６）サーバ１２はさらに、落札された価格と略等しい価格のカメラ関連機器であって、落札された機器と同カテゴリの機器を扱うネット販売システム１またはオークションシステム１０の情報を、入札したものの落札できなかった者の端末１４、２０へ送信するようにした。これにより、機器の取得を希望する者（落札を逃した人）を機器の購入（または別のオークション）へと導くことができる。
【００４７】
（変形例１）
上述した説明では、ステップＳ１０において、サーバ１２が新たな落札者に対し、過去のオークションで同機種の物品を落札した落札者が利用しているアルバムサイトを紹介する例を説明した。これに加えて、サーバ１２が過去のオークションで同機種の物品を落札した落札者に対し、新たに同機種の物品を落札した落札者が利用しているアルバムサイトを紹介するようにしてもよい。サーバ１２は、例えば、「□□さんが、最近のオークションでＤｙｙｙを落札しました。□□さんのアルバムはこちら（http://QQP・・・・）」というメッセージを落札者へ送信する。http://QQP・・・・は、□□さんが利用しているアルバムシステム２におけるＵＲＬ（Uniform Resource Locator）を表す。
【００４８】
変形例１によれば、例えば、新たに落札した者が撮影した画像を、過去の同じ機種のカメラの落札者が閲覧可能になるので、これを契機にオークションの利用者間の交流につながることが期待できる。
【００４９】
（変形例２）
上記実施形態では、ステップＳ４０において、サーバ１２が出品者に対し、落札された物品と同カテゴリで、落札価格に近い価格（例えば±３０％以内）の商品を扱うサイトを紹介するようにした。紹介する商品をカテゴリや価格だけで絞り込むのではなく、出品者による過去の落札実績、または購入実績に基づいて絞り込みを行うようにしてもよい。例えば、広角撮影に適したカメラを過去に取得している場合において、望遠撮影に適したカメラを紹介する。
【００５０】
（変形例３）
上述した説明では、オークションの例として入札価格が上がっていくイングリッシュオークションを説明したが、入札価格が下がっていくダッチオークションでも構わない。
【００５１】
以上の説明はあくまで一例であり、上記の実施形態の構成に何ら限定されるものではない。
【符号の説明】
【００５２】
１…ネット販売システム
２…アルバムシステム
１０…オークションシステム
１２…サーバ
１４…ＰＣ
１６…ネットワーク
１８…アクセスポイント
２０…スマートフォン
【図１】
2015082132.tif 000003
【図２】
2015082132.tif 000004
【図３】
2015082132.tif 000005
【図４】
2015082132.tif 000006
【図５】
2015082132.tif 000007
【図６】
2015082132.tif 000008
【図７】
2015082132.tif 000009